(57)【要約】【課題】釣り人の手では釣り針に係着しにくい小さな釣り餌や、柔らかくベタ付き易い疑似餌を使用する場合であっても、簡易な道具により容易に釣り餌を釣り針に係着可能とすることにより、釣り人が手軽に釣りを楽しむことができるようにする。【解決手段】載置具本体の一面に釣り針8の突き刺し抜き取りが可能な弾性体7を配置し、この弾性体7の表面に釣り餌4を載置して、この釣り餌4を介して弾性体7に釣り針8を突き刺し可能とする。【選択図】図１
2006211958.tif 000002
【特許請求の範囲】
【請求項１】
載置具本体の一面に釣り針の突き刺し抜き取りが可能な弾性体を配置し、この弾性体の表面に釣り餌を載置して、この釣り餌を介して弾性体に釣り針を突き刺し可能としたことを特徴とする釣り餌載置具。
【請求項２】
弾性体は、合成樹脂製であることを特徴とする請求項１の釣り餌載置具。
【請求項３】
弾性体は、天然高分子素材製であることを特徴とする請求項１の釣り餌載置具。
【請求項４】
弾性体は、セルロース繊維製、こんにゃくマンナン繊維製、またはコラーゲン繊維製であることを特徴とする請求項１または３の釣り餌載置具。
【請求項５】
弾性体は、スポンジ体であることを特徴とする請求項１、２、３または４の釣り餌載置具。
【請求項６】
弾性体を配置した載置具本体は、弾性体の表面に釣り餌を載置して包装用袋体に収納可能としたことを特徴とする請求項１、２、３、４、または５の釣り餌載置具。
【請求項７】
弾性体を配置した載置具本体は、内部に釣り餌を収納した収納体の開口部に接続する蓋体とし、この蓋体を収納体内の釣り餌に臨ませて弾性体を配置したことを特徴とする請求項１、２、３、４、または５の釣り餌載置具。
【請求項８】
弾性体は、載置具本体の外周壁の形成高さよりも高くしたことを特徴とする請求項１、２、３、４、５、６または７の釣り餌載置具。
【発明の詳細な説明】
【技術分野】
【０００１】
本発明は、釣り餌を釣り針に係着する際に、釣り餌を載置するための釣り餌載置具に関するものである。
【背景技術】
【０００２】
釣り針への釣り餌の係着は一般に釣り人が手作業で行うため、魚の切り身やさなぎ等、釣り人の手指で扱いやすい大きさの釣り餌を用いる場合は、比較的容易に釣り針に係着することができる。一方、サシや赤虫等のような極めて小さく潰れ易い釣り餌は、釣り人の手指で扱うのが難しく、中でも生きているものは常に動いているため、釣り人の手で潰すことなく釣り針に係着することは非常に困難な作業となる。また、天然の餌のみならず、配合餌にゲル化剤を混合して形成する疑似餌についても、柔らかくベト付き易くしかも滑り易いため、釣り針に係着させる場合に手間を要するものであった。
【０００３】
そこで、上記の如き釣り針への係着が困難な赤虫等の釣り餌や、配合餌にゲル化剤を混合した疑似餌等に釣り針を容易に係着することができるようにするため、大根の切れ端の上に釣り餌を載せて、この釣り餌を釣り針に係着させる方法が従来より一般的に行われている。また、特許文献１に示す如く、釣り餌を釣り針に係着するための餌付け用補助具が以前より開発されている。この特許文献１に示す餌付け用補助具は、小型の釣り針に小さな釣り餌を容易に係着可能とすることを目的とするものであって、釣り餌を挟持するためのペンチ型の挟持具と、釣り針を固定するための固定具とから成るものである。
【特許文献１】実開平１０−１７８９７１号公報
【発明の開示】
【発明が解決しようとする課題】
【０００４】
しかしながら、大根は保存がきかないため釣りを行う度に準備しなければならず、釣り人にとっては準備に手間のかかるものであった。また、大根は硬く弾性を有しないため、比較的柔らかい釣り餌を大根の切れ端に載置して釣り針を突き刺す際に、釣り人の手指や釣り針の圧力によって釣り餌がつぶれたり変形したりするという不都合を生じていた。
【０００５】
また、特許文献１に記載の餌付け用補助具は、釣り餌の係着の際に、挟持具と固定具の両方を必ず必要とするため、どちらか一方が欠けている場合は使用することが困難となる。そのため、常に両方の道具を揃えておかなければならないという手間が生じるとともに高価なものとなり、釣り人にとっては手軽に釣りを楽しむことができなかった。また、挟持具と固定具を使用して釣り針に釣り餌を係着させる作業、及び釣り餌を係着した釣り針を固定具から取り外す作業に手間がかかるため、釣り人にとって負担となるものであった。
【０００６】
本発明は、上述の如き課題を解決しようとするものであって、釣り人の手では釣り針に係着しにくい小さな釣り餌や、柔らかくベタ付き易い疑似餌を使用する場合であっても、簡易な道具により容易に釣り餌を釣り針に係着可能なものとし、釣り人が手軽に釣りを楽しむことができるようにしようとするものである。
【課題を解決するための手段】
【０００７】
載置具本体の一面に釣り針の突き刺し抜き取りが可能な弾性体を配置し、この弾性体の表面に釣り餌を載置して、この釣り餌を介して弾性体に釣り針を突き刺し可能としたものである。
【０００８】
また、弾性体は、合成樹脂製であってもよい。
【０００９】
また、弾性体は、天然高分子素材製であってもよい。
【００１０】
また、弾性体は、セルロース繊維製、こんにゃくマンナン繊維製、またはコラーゲン繊維製であってもよい。
【００１１】
また、弾性体は、スポンジ体であってもよい。
【００１２】
また、弾性体を配置した載置具本体は、弾性体の表面に釣り餌を載置して包装用袋体に収納可能としたものであってもよい。
【００１３】
また、弾性体を配置した載置具本体は、内部に釣り餌を収納した収納体の開口部に接続する蓋体とし、この蓋体を収納体内の釣り餌に臨ませて弾性体を配置したものであってもよい。
【００１４】
また、弾性体は、載置具本体の外周壁の形成高さよりも高くしたものであってもよい。
【発明の効果】
【００１５】
本発明は、内部に釣り餌を収納する載置具本体の内面に、釣り針の突き刺し抜き取りが可能な弾性体を配置することにより、この弾性体の上に釣り餌を載置して釣り針を突き刺す際に弾性体が弾性変形するため、釣り人の手指や釣り針の圧力を受けることを原因とした釣り餌のつぶれや変形がなく、釣り餌を釣り針に係着させる作業を円滑に行うことができる。
【００１６】
また、釣り餌を介して弾性体を突き刺した後に釣り針を弾性体から容易に抜き取ることができるため、釣り餌を釣り針に係着させた後、この釣り餌を迅速に水中に投げ入れることを可能としている。また、簡易な構成であるため製造が容易で製造コストを低く抑えることが可能となり、釣り人は経済的で手軽な釣りを楽しむことができる。
【実施例１】
【００１７】
本発明の実施例１を図１〜図５に於いて説明すれば、(１)は載置具本体である蓋体であって、金属にて形成し、図２に示す如く、円形の天板(２)とこの天板の外周に設けた外周壁(３)にて成るものである。また、図１及び図２に示す如く、上記蓋体(１)は、釣り餌(４)を収納するための収納体(５)に接続可能なものとなっている。
【００１８】
この収納体(５)は円筒形の透明なガラスにて形成されており、上部に開口部(６)を設けている。そして、この開口部(６)の外周面には、蓋体(１)の外周壁(３)内面に設けた内周螺溝(１３)と螺合可能な外周螺溝(１４)を形成している。そして、蓋体(１)の内周螺溝(１３)を収納体(５)の外周螺溝(１４)に螺着することにより、収納体(５)に蓋体(１)を接続することができるものとなっている。そして、この蓋体(１)の内面には、合成樹脂製のスポンジ体にて形成した円筒形状の弾性体(７)を接着剤にて固定している。この弾性体(７)は蓋体(１)を収納体(５)に接続した際に収納体(５)内に配置可能となるよう、収納体(５)の開口部(６)の内径よりも小径な円筒形状に形成している。
【００１９】
また、この弾性体(７)の高さを蓋体(１)の外周壁(３)の高さよりも高いものとしている。そのため、弾性体(７)に釣り針(８)を突き刺し、抜き取る際に釣り針(８)を蓋体(１)の外周壁(３)に引っかけることなくスムーズな抜き取りが可能となる。また、図２に示す如く、弾性体(７)の高さは、蓋体(１)を収納体(５)に接続した際に収納体(５)内の釣り餌(４)を圧迫しない程度の高さに形成されており、収納体(５)に蓋体(１)を接続した場合に、収納体(５)内の釣り餌(４)を弾性体(７)に圧迫されることなく良好な形状に保つことができる。
【００２０】
上記の如く構成したものにおいて、図１に示す如く収納体(５)内部に釣り餌(４)を収納し、この収納体(５)に蓋体(１)を接続することにより、釣り餌(４)と釣り餌載置具を一度に持ち運び又は保管することが可能となり、釣り人の手間を省くことができる。そして、釣りを行う際に収納体(５)から蓋体(１)を分離し、図３に示す如く蓋体(１)の内面(１０)側を上方に向けることにより弾性体(７)を蓋体(１)の上に配置する。
【００２１】
そして図３に示す如く、収納体(５)に収納していた釣り餌(４)をこの弾性体(７)に載置し、この状態で釣り餌(４)に釣り針(８)を突き刺す。この時、本実施例では弾性体(７)としてスポンジ体を使用しており、釣り餌(４)を突き刺すと同時にこの釣り餌(４)を介して釣り針(８)を弾性体(７)に容易に突き刺すことができる。また、弾性体(７)の表面は粗いため、釣り餌(４)を載置しても釣り餌(４)が滑りにくく、釣り餌(４)に釣り針(８)を容易に突き刺すことができる。
【００２２】
また、弾性体(７)に釣り餌(４)を載置して釣り針(８)を突き刺すと、釣り人の手指や釣り針(８)の圧力を受けて弾性体(７)が弾性変形するため、釣り餌(４)を釣り針(８)に突き刺す際に釣り餌(４)がつぶれたり変形したりしにくくなる。従って、釣り餌(４)を釣り針(８)に係着する作業を円滑に行うことができる。
【００２３】
そして、図４に示す如く、上記の如く釣り餌(４)及び弾性体(７)に釣り針(８)を突き刺した状態から釣り糸(１１)を引っ張ることにより、釣り糸(１１)に接続した釣り針(８)を容易に引き抜くことができる。そのため、弾性体(７)上で釣り餌(４)を係着した後、釣り針(８)を迅速に水中に投げ入れることが可能となる。
【００２４】
また、図５に示す如く、複数本の釣り針(８)を釣り糸(１１)に取り付けた場合でも、各釣り針(８)に釣り餌(４)を突き刺すと同時に、これらの釣り針(８)を弾性体(７)に突き刺し固定することができるため、胴付き仕掛けの場合等でも各釣り針(８)や釣り糸(１１)を絡ませることなく、各釣り針(８)に順次釣り餌(４)を突き刺すことが可能となる。また、このように釣り餌(４)を突き刺した全ての釣り針(８)を弾性体(７)から一度に引き抜くことにより、釣り針(８)をスムーズに水中に投げ入れることが可能となる。
【００２５】
また、本実施例１の弾性体(７)は合成樹脂製であるため、長期間の保存及び繰り返しの使用が可能となる上に、釣りを行う度に特別な道具を準備する必要がなく、釣り人の手間が省けるとともに経済的な使用が可能となる。
【実施例２】
【００２６】
また、上記実施例１では、蓋体(１)を釣り餌(４)の収納体(５)に接続可能なものとしていたが、本発明の実施例２の釣り餌載置具は、載置具本体である受け皿(９)と弾性体(７)のみで構成したものである。また、上記実施例１では弾性体(７)として合成樹脂製のスポンジ体を用いていたが、本実施例２では、天然高分子素材であるセルロース繊維製のスポンジ体を弾性体(７)として用いている。
【００２７】
本実施例２を図６及び図７に於いて説明すると、図６に示す如く、受け皿(９)は樹脂材にて長方形状に形成されており、上面外周には外周壁(３)を設けている。また、本実施例２の弾性体(７)は直方体形状に形成しており、図７に示す如く、この弾性体(７)の底部を接着剤で受け皿(９)の上面に接着することにより、弾性体(７)を受け皿(９)に接続配置している。
【００２８】
また、図７に示す如く、この弾性体(７)の高さを受け皿(９)の外周壁(３)の形成高さよりも高くしているため、上記実施例１と同様に、弾性体(７)に釣り針(８)を突き刺し、抜き取る際に、釣り針(８)を受け皿(９)の外周壁(３)に引っかけることなくスムーズに抜き取ることができるものとしている。このように、本実施例２の釣り餌載置具は、受け皿(９)と弾性体(７)のみから成る簡易な構成であるため、製造容易で製造コストの低い製品を得ることができる。
【００２９】
また、本実施例の釣り餌載置具は、図６及び図７において点線で示す如く、弾性体(７)の上面に釣り餌(４)を載置した状態で、樹脂製の包装用袋体(１２)に収納することができる。このように釣り餌載置具を釣り餌(４)とともに包装用袋体(１２)内に収納することにより、釣り餌載置具を釣り餌とともに持ち運ぶことができるとともに、弾性体(７)上に載置した釣り餌(４)の乾燥等を防ぐことが可能となる。また、既に釣り餌(４)が弾性体(７)上に載置されているため、包装用袋体(１２)から取り出してすぐに使用することができ、釣り人の手間を省くことができる。
【００３０】
また、本実施例２で用いた弾性体(７)は天然高分子素材製であるため、有害物質を排出せず、また生分解性があるため、環境に配慮した製品を得ることができる。また、本実施例２では天然高分子素材としてセルロース繊維を用いているが、他の異なる実施例ではこんにゃくマンナン繊維やコラーゲン繊維を用いることも可能である。
【図面の簡単な説明】
【００３１】
【図１】本発明の実施例１を示す釣り餌用容器の斜視図。
【図２】本発明の実施例１を示す釣り餌用容器の断面図。
【図３】蓋体に設けた弾性体に釣り餌を載置し、釣り針を突き刺した状態の斜視図。。
【図４】弾性体から釣り針を引き抜いた状態を示す斜視図。
【図５】複数本の釣り針を、釣り餌を載置した弾性体に突き刺した状態を示す斜視図。
【図６】本発明の実施例２を示す釣り餌載置具の斜視図。
【図７】図６の断面図。
【符号の説明】
【００３２】
１  蓋体
３  外周壁
４  釣り餌
５  収納体
６  開口部
７  弾性体
８  釣り針
１２  包装用袋体
【図１】
2006211958.tif 000003
【図２】
2006211958.tif 000004
【図３】
2006211958.tif 000005
【図４】
2006211958.tif 000006
【図５】
2006211958.tif 000007
【図６】
2006211958.tif 000008
【図７】
2006211958.tif 000009